(57)【要約】【課題】  処理設備に重大トラブルが発生した場合でも、重大トラブルへの対応時に、立ち上げ、立ち下げに多大な準備時間を要する処理設備の停止を最小限にすることができるニッケル酸化鉱石の湿式精錬プラントを提供する。【解決手段】  工程処理設備と、ユーティリティー供給設備８ａ、８ｂと、硫化水素供給設備１０ａ、１０ｂと、凝集剤供給設備１４ａ、１４ｂと、中和剤供給設備１２ａ、１２ｂとを含む一連の処理設備を２系列以上有するニッケル酸化鉱の湿式精錬プラント２０において、各系列におけるユーティリティー供給設備８ａ、８ｂ同士、硫化水素供給設備１０ａ、１０ｂ同士、凝集剤供給設備１４ａ、１４ｂ同士及び中和剤供給設備１２ａ、１２ｂ同士は、各々ユーティリティー、硫化水素、凝集剤及び中和剤を共有可能に連結する連結設備をさらに備える。【選択図】  図１
2011225908.tif 000002
【特許請求の範囲】
【請求項１】
前処理部、浸出部、固液分離部、中和部、脱亜鉛部、硫化部及び無害化部を有する工程処理設備と、
前記前処理部、前記浸出部、前記固液分離部、前記中和部、前記脱亜鉛部、前記硫化部及び前記無害化部に、蒸気、用水及び電力を含むユーティリティーを供給するユーティリティー供給設備と、
前記脱亜鉛部及び前記硫化部に硫化水素を供給する硫化水素供給設備と、
前記固液分離部及び前記中和部に凝集剤を供給する凝集剤供給設備と、
前記中和部及び前記無害化部に中和剤を供給する中和剤供給設備と
を含む一連の処理設備を２系列以上有するニッケル酸化鉱の湿式精錬プラントにおいて、
各系列における前記ユーティリティー供給設備同士、前記硫化水素供給設備同士、前記凝集剤供給設備同士及び前記中和剤供給設備同士は、各々前記ユーティリティー、前記硫化水素、前記凝集剤及び前記中和剤を共有可能に連結する連結設備をさらに備えることを特徴とするニッケル酸化鉱石の湿式精錬プラント。
【請求項２】
前記連結設備は、前記各供給設備が前記ユーティリティー、前記硫化水素、前記凝集剤及び前記中和剤を供給する最上流部分で、該各供給設備を連結することを特徴とする請求項１記載のニッケル酸化鉱石の湿式精錬プラント。
【請求項３】
前記２系列以上の処理設備は、それぞれ同程度の処理能力を有することを特徴とする請求項１又は２記載のニッケル酸化鉱石の湿式精錬プラント。
【請求項４】
前記系列の数は、２系列であることを特徴とする請求項１乃至３のいずれか１項記載のニッケル酸化鉱石の湿式精錬プラント。
【請求項５】
前記連結設備は、開閉機構を有することを特徴とする請求項１乃至４のいずれか１項記載のニッケル酸化鉱石の湿式精錬プラント。
【請求項６】
請求項１〜５のいずれか１項記載のニッケル酸化鉱石の湿式精錬プラントを使用することを特徴とするニッケル酸化鉱石の湿式精錬プラントの操業方法。
【請求項７】
各系列における前記ユーティリティー供給設備、前記硫化水素供給設備、前記凝集剤供給設備及び前記中和剤供給設備のうち、少なくともいずれか１つの運転が停止した場合には、他の系列の該供給設備を通常の操業度以上で操業し、前記各系列の処理設備の操業度を下げることを特徴とする請求項６記載のニッケル酸化鉱石の湿式精錬プラントの操業方法。
【発明の詳細な説明】
【技術分野】
【０００１】
本発明は、ニッケル酸化鉱石の湿式精錬プラント及びその操業方法に関する。さらに詳しくは、本発明は、複数系列の処理設備を有するニッケル酸化鉱石の湿式精錬プラントにおいて、処理設備の一部を運転停止しなければならないトラブル（以下、単に「重大トラブル」ともいう）が発生した場合でも、この重大トラブルによる処理量の減少を最小限にすることのできるニッケル酸化鉱石の湿式精錬プラント及びその操業方法に関する。
【背景技術】
【０００２】
近年、ニッケル酸化鉱石の湿式精錬法として、硫酸を用いた高圧酸浸出法（High Pressure Acid Leach）が注目されている。この方法は、乾燥及び焙焼工程等の乾式処理工程を含まず、一貫した湿式工程からなるので、エネルギー的及びコスト的に有利であるとともに、ニッケル品位を５０〜６０重量％程度まで向上させたニッケル・コバルト混合硫化物が得られる利点を有する。
【０００３】
上記ニッケル・コバルト混合硫化物を得るための高圧酸浸出法は、例えば、図３に示すように、前処理工程（１）と、浸出工程（２）と、固液分離工程（３）と、中和工程（４）と、脱亜鉛工程（５）と、硫化工程（６）と、無害化工程（７）とを含む。
【０００４】
図３に示す前処理工程（１）では、ニッケル酸化鉱石を解砕分級してスラリーとする。浸出工程（２）では、前処理工程（１）で得られたスラリーに硫酸を添加し、２２０〜２８０℃で攪拌して高温加圧酸浸出し、浸出スラリーを得る。固液分離工程（３）では、浸出工程（２）で得られた浸出スラリーを固液分離して、ニッケル及びコバルトを含む浸出液（以下、「粗硫酸ニッケル水溶液」という。）と浸出残渣とを得る。中和工程（４）では、固液分離工程（３）で得られた粗硫酸ニッケル水溶液を中和する。脱亜鉛工程（５）では、中和工程（４）で中和した粗硫酸ニッケル水溶液に硫化水素ガスを添加して亜鉛を硫化亜鉛として沈殿除去する。硫化工程（６）では、脱亜鉛工程（５）で得られた脱亜鉛終液に硫化水素ガスを添加してニッケル・コバルト複合硫化物とニッケル貧液を得る。無害化工程（７）では、固液分離工程（３）で発生した浸出残渣と、硫化工程（６）で発生したニッケル貧液とを無害化する（例えば、特許文献１を参照）。
【０００５】
図４、図５に示すように、ニッケル酸化鉱の湿式精錬プラント１００（以下、単に「湿式精錬プラント」という）は、例えば、２系列の処理設備、すなわち、Ｉ系列の処理設備と、ＩＩ系列の処理設備とを有する。これら２系列の処理設備は、前処理工程（１）を実行する前処理部（１ａ、１ｂ）と、浸出工程（２）を実行する浸出部（２ａ、２ｂ）と、固液分離工程（３）を実行する固液分離部（３ａ、３ｂ）と、中和工程（４）を実行する中和部（４ａ、４ｂ）と、脱亜鉛工程（５）を実行する脱亜鉛部（５ａ、５ｂ）と、硫化工程（６）を実行する硫化部（６ａ、６ｂ）と、無害化工程（７）を実行する無害化部（７ａ、７ｂ）とを有する工程処理設備を有する。
【０００６】
また、２系列の処理設備は、上述した工程処理設備以外に、図４に示すように、ボイラーと、用水設備と、電力設備とからなるユーティリティー供給設備８ａ、８ｂを備える。また、２系列の処理設備は、図５に示すように、硫化水素供給設備１０ａ、１０ｂと、中和剤供給設備１２ａ、１２ｂと、凝集剤供給設備１４ａ、１４ｂと、各工程を順次連結する送液パイプなどの配管設備とから構成されている。以下、ユーティリティー供給設備８ａ、８ｂ、硫化水素供給設備１０ａ、１０ｂ、中和剤供給設備１２ａ、１２ｂ及び凝集剤供給設備１４ａ、１４ｂをそれぞれ単に供給設備とも言う。
【０００７】
図４、図５に示すように、ユーティリティー供給設備８ａからの蒸気、用水及び電力は、Ｉ系列の工程処理設備に、ユーティリティー供給設備８ｂからの蒸気、用水及び電力は、ＩＩ系列の工程処理設備に供給される。硫化水素供給設備１０ａ、１０ｂで得られる硫化水素は、脱亜鉛部５ａ、５ｂ及び硫化部６ａ、６ｂに供給される。中和剤供給設備１２ａ、１２ｂからは、中和部４ａ、４ｂ及び無害化部７ａ、７ｂに中和剤が供給される。凝集剤供給設備１４ａ、１４ｂからは、固液分離部３ａ、３ｂ及び中和部４ａ、４ｂに凝集剤が供給される。また、配管設備は、ユーティリティー供給配管９ａ、９ｂと、硫化水素供給配管１１ａ、１１ｂと、中和剤供給配管１３ａ、１３ｂと、凝集剤供給配管１５ａ、１５ｂとから構成される。
【０００８】
このような湿式精錬プラント１００の操業においては、主要な中間生成物が液体またはスラリー状である。そのため、湿式精錬プラント１００の操業においては、例えば、ボイラーの重大トラブルによって蒸気、用水、電力、硫化水素、凝集剤及び中和剤のうち、何れか一つでも供給されなくなると、湿式精錬プラント１００全体を停止させ、重大トラブルを解消させ或いは補修した後に、湿式精錬プラント１００全体を再立上げするのが一般的である。したがって、湿式精錬プラント１００において、プラント全体を連続的に、かつ高い稼働率で運転するためには、ユーティリティー供給設備８ａ、８ｂと、硫化水素供給設備１０ａ、１０ｂと、ケミカル供給設備（中和剤供給設備１２ａ、１２ｂ及び凝集剤供給設備１４ａ、１４ｂ）とを常にトラブルの無い状態で稼動させる必要がある。
【０００９】
このため、実際の湿式精錬プラント１００においては、できるだけ各工程処理設備やその他の設備に一定の負荷がかかるような操業として、この負荷が変動することを避けるようにしている。また、湿式精錬プラント１００においては、定期休転（定期点検）の頻度を高くしたり、休転期間を延長したりして設備の点検や、必要に応じて設備の修理を行い、重大トラブルの突発的な発生を防止している。
【００１０】
また、上述した湿式精錬プラント１００において、工程（プロセス）のいずれかでトラブルが発生し、一時的にその工程以降の負荷を低く（ランプダウン）しなければならない事態が発生することは避けられない。そのため、湿式精錬プラント１００は、ランプダウンした場合に処理量を下げないようにするために、通常、緊急用貯槽を設けている。
【００１１】
このように緊急用貯槽を設けることにより、トラブルが発生した工程より前の工程の負荷をそのまま、あるいは負荷を低減し、過剰となるプロセス液を緊急用貯槽に貯液する。また、トラブルが解消された後に、工程の負荷を高く（ランプアップ）して、通常の負荷と共に緊急用貯槽に貯液したプロセス液を繰り返し処理する。これにより、四半期毎、或いは年間の処理目標量を達成することが可能となる。
【００１２】
ところで、こうした緊急避難的な対応は、緊急用貯槽の大きさにもよるが、湿式精錬プラント１００の復旧に必要な時間が、例えば、通常８時間以内の場合には有効である。しかし、湿式精錬プラント１００の復旧に必要な時間が８時間を超えると、プロセス液が緊急用貯槽の限界まで貯液され、操業を停止せざるを得なくなる。
【００１３】
図４、図５に示す実際の湿式精錬プラント１００の前処理部１ａ、１ｂで発生しやすい重大なトラブルの一つとして、次のような問題がある。すなわち、ドラムとトロンメルとが連結して構成されるドラムウオッシャーで採掘されたニッケル酸化鉱石を解砕分級する際に、トロンメル内でニッケル酸化鉱石がショートパスし、そのまま系外に払い出され、所定の操業実績が得られなくなる。
【００１４】
この問題に対して、ドラムウオッシャーのトロンメルの内面で、トロンメルの回転軸に対して垂直断面となる同一円周上に、円周上の断面形状が略長方形であり、特定の要件を満足する突起を、トロンメルの目開きの４倍程度の間隔で配置した突起列を形成することにより、トラブル発生を防止する方法が提案されている（特許文献２を参照）。
【００１５】
また、図４、図５に示す硫化部６ａ、６ｂで発生しやすい重大なトラブルの一つとして、硫化部６ａ、６ｂで生成したニッケル・コバルト混合硫化物が、反応容器内面に付着しスケールとして成長し、装置が機能しなくなったり破壊されたりするという問題がある。
【００１６】
この問題に対して、硫化部６ａ、６ｂでは、脱亜鉛部５ａ、５ｂからの脱亜鉛終液中のニッケル量の４〜６倍のニッケル量に当たるニッケル硫化物を種晶として循環使用することにより、スケールの成長を防止する方法が提案されている（特許文献３を参照）。
【００１７】
このように、湿式精錬プラント１００では、硬い鉱石粒子をスラリーとして用いることや、反応容器内面に付着しやすいニッケル・コバルト混合硫化物を生成させるというプロセス特有の理由から、上記トラブルを代表例として、様々なトラブルが多発する。そのため、実際の湿式精錬プラント１００の稼働率は、さほど高いものとなっていないのが一般的である。
【００１８】
特に、図４、図５に示す浸出部２ａ、２ｂでは、上述した各供給設備に重大トラブルが発生した際に、一般的には、まず、常温まで降温、常圧まで降圧してからでなければ、湿式精錬プラント１００全体を停止させることができない。また、浸出部２ａ、２ｂでは、重大トラブルが解消した後も、所定の温度および圧力に昇温、昇圧してからでなければ、湿式精錬プラント１００全体の稼動を再開させることができない。
【００１９】
通常、浸出部２ａ、２ｂにおいて、常温まで降温、常圧まで降圧するために要する時間と、所定の温度および圧力まで昇温、昇圧するために要する時間とを合計すると、１日から２日の時間（以下、「準備時間」という）を要するのが一般的である。すなわち、浸出部２ａ、２ｂにおいては、処理設備を停止する際に、処理設備を立ち下げ、その後処理設備を再び立ち上げるのに多大な準備時間を要する。浸出部２ａ、２ｂにおいては、準備時間が月に１回発生しただけで、不具合無く連続操業できた場合に比べて月間３０日稼動日の単純計算で約５％の減産となる。このような減産は、実操業上で大きな問題である。
【００２０】
また、近年、ニッケル酸化鉱の処理量を増加してニッケル・コバルト混合硫化物の生産量を増加させるという強い要請がある。この要請を満足させるために、上述した各工程の工程処理設備を複数系列とすることが行われている。
【００２１】
しかしながら、上述した工程処理設備を複数系列としても、それぞれの系列で上述したトラブルが同様な頻度で起こる。したがって、例えば、上述した工程処理設備を２系列とした場合に、重大トラブルの発生により２系列としたメリットが出るどころか、処理能力が１系列のフル操業に満たない場合すらある。
【先行技術文献】
【特許文献】
【００２２】
【特許文献１】特開２００５−３５０７６６号公報
【特許文献２】特開２００９−１７３９６７号公報
【特許文献３】特開２００８−２３１４７０号公報
【発明の概要】
【発明が解決しようとする課題】
【００２３】
本発明は、上記従来技術の問題点に鑑みて提案されたものであり、２系列以上の処理設備を有する湿式精錬プラントにおいて、ある系列の処理設備のユーティリティー供給設備、硫化水素供給設備、中和剤供給設備及び凝集剤供給設備のうち少なくとも１つに重大トラブルが発生した場合でも、処理量の減少を最小限にすることができるニッケル酸化鉱石の湿式精錬プラント及びその操業方法を提供することを目的とする。
【課題を解決するための手段】
【００２４】
本発明者らは、上記課題を解決するために、種々の検討を行った結果、各系列の処理設備のうち、ユーティリティー供給設備、硫化水素供給設備及びケミカル供給設備を連結することにより上記課題を解決できることを見出して本発明に至った。
【００２５】
すなわち、本発明に係るニッケル酸化鉱石の湿式精錬プラントは、前処理部、浸出部、固液分離部、中和部、脱亜鉛部、硫化部及び無害化部を有する工程処理設備と、前記前処理部、前記浸出部、前記固液分離部、前記中和部、前記脱亜鉛部、前記硫化部及び前記無害化部に、蒸気、用水及び電力を含むユーティリティーを供給するユーティリティー供給設備と、前記脱亜鉛部及び前記硫化部に硫化水素を供給する硫化水素供給設備と、前記固液分離部及び前記中和部に凝集剤を供給する凝集剤供給設備と、前記中和部及び前記無害化部に中和剤を供給する中和剤供給設備とを含む一連の処理設備を２系列以上有するニッケル酸化鉱の湿式精錬プラントにおいて、各系列における前記ユーティリティー供給設備同士、前記硫化水素供給設備同士、前記凝集剤供給設備同士及び前記中和剤供給設備同士は、各々前記ユーティリティー、前記硫化水素、前記凝集剤及び前記中和剤を共有可能に連結する連結設備をさらに備えることを特徴とする。
【００２６】
また、前記各連結設備は、前記供給設備が前記ユーティリティー、前記硫化水素、前記凝集剤及び前記中和剤を供給する最上流部分で、該各供給設備を連結することを特徴とする。また、前記２系列以上の処理設備は、それぞれ同程度の処理能力を有することを特徴とする。さらに、前記系列の数は、２系列であることを特徴とする。また、前記連結設備は、開閉機構を有することを特徴とする。
【００２７】
本発明に係るニッケル酸化鉱石の湿式精錬プラントの操業方法は、前記ニッケル酸化鉱石の湿式精錬プラントを使用することを特徴とする。
【００２８】
本発明に係るニッケル酸化鉱石の湿式精錬プラントの操業方法は、各系列における前記ユーティリティー供給設備、前記硫化水素供給設備、前記凝集剤供給設備及び前記中和剤供給設備のうち、少なくともいずれか１つの運転が停止した場合には、前記各系列の処理設備の操業度を下げることを特徴とする。
【発明の効果】
【００２９】
本発明では、湿式精錬プラントにおいて、各供給設備が各々連結設備により連結されているため、ある系列の処理設備の少なくとも１つの供給設備に重大トラブルが発生した場合でも、処理設備の停止を最小限にして、処理量の減少を最小限にすることができる。したがって、本発明では、各系列の処理設備の同じ供給設備に同時に重大トラブルが発生しない限り、浸出部を停止させることなく湿式精錬プラントの操業を継続することができるため、浸出工程での処理量の減少を最小限にすることができる。
【図面の簡単な説明】
【００３０】
【図１】本発明の湿式精錬プラントを模式的に示す概略図である。
【図２】本発明の湿式精錬プラントを模式的に示す概略図である。
【図３】高圧酸浸出法の概略工程を示すフローチャートである。
【図４】従来の湿式精錬プラントを模式的に示す概略図である。
【図５】従来の湿式精錬プラントを模式的に示す概略図である。
【発明を実施するための形態】
【００３１】
以下、本発明を適用した湿式精錬プラントの具体的な実施の形態の一例について、図面を参照しながら以下の順序で説明する。
１．湿式精錬プラント
１−１．工程処理設備
１−２．供給設備
２．重大トラブルが発生した場合の湿式精錬プラントの操業（運転）方法
３．他の実施の形態
４．実施例
【００３２】
＜１．湿式精錬プラント＞
本発明に係る湿式精錬プラントは、前処理工程、浸出工程、固液分離工程、中和工程、脱亜鉛工程、硫化工程及び無害化工程を実行する一連の処理設備を２系列以上有する。このように湿式精錬プラントが一連の処理設備を２系列以上有することにより、例えば、原料であるニッケル酸化鉱の処理量を増加してニッケル・コバルト混合硫化物の生産量を増加させることができる。
【００３３】
以下、一連の処理設備を２系列有する湿式精錬プラントを例に挙げて説明する。
【００３４】
図１、図２に示すように、本発明に係る湿式精錬プラント２０は、２系列の処理設備、すなわち、Ｉ系列の処理設備と、ＩＩ系列の処理設備とを有する。これらの処理設備は、前処理部（１ａ、１ｂ）と、浸出部（２ａ、２ｂ）と、固液分離部（３ａ、３ｂ）と、中和部（４ａ、４ｂ）と、脱亜鉛部（５ａ、５ｂ）と、硫化部（６ａ、６ｂ）と、無害化部（７ａ、７ｂ）とを有する工程処理設備を備える。以下、工程処理設備において、各系列の処理設備を個別に説明する場合を除いて、前処理部１、浸出部２、固液分離部３、中和部４、脱亜鉛部５、硫化部６又は無害化部７という。
【００３５】
＜１−１．工程処理設備＞
前処理部１は、例えば粉砕機等の前処理設備で構成され、原料となるニッケル酸化鉱石を解砕分級してスラリーとする前処理工程を実行する。ニッケル酸化鉱石としては、例えば、リモナイト鉱やサプロライト鉱等のいわゆるラテライト鉱が用いられる。
【００３６】
浸出部２は、前処理部１で得られたスラリーに硫酸を添加し、２２０〜２８０℃で攪拌して高温加圧で酸浸出し、浸出残渣と浸出液とからなる浸出スラリーを得る浸出工程を実行する。浸出部２は、例えば、浸出設備として高温加圧容器（オートクレーブ）が用いられる。具体的に、浸出部２においては、例えば、下記の式（１）〜（５）で表される浸出反応と高温熱加水分解反応によって、ニッケル、コバルト等の硫酸塩としての浸出と、浸出された硫酸鉄のヘマタイトとしての固定化が行われる。しかしながら、鉄イオンの固定化は、完全には進行しないので、得られる浸出スラリーの液部分には、通常ニッケル、コバルト等のほか、２価と３価の鉄イオンが含まれる。
【００３７】
「浸出反応」
ＭＯ＋Ｈ２ＳＯ４→ＭＳＯ４＋Ｈ２Ｏ                                        （１）
（式中Ｍは、Ｎｉ、Ｃｏ、Ｆｅ、Ｚｎ、Ｃｕ、Ｍｇ、Ｃｒ、Ｍｎ等を表す。）
２Ｆｅ（ＯＨ）３＋３Ｈ２ＳＯ４→Ｆｅ２（ＳＯ４）３＋６Ｈ２Ｏ              （２）
ＦｅＯ＋Ｈ２ＳＯ４→ＦｅＳＯ４＋Ｈ２Ｏ                                    （３）
「高温熱加水分解反応」
２ＦｅＳＯ４＋Ｈ２ＳＯ４＋（１／２）Ｏ２→Ｆｅ２（ＳＯ４）３＋Ｈ２Ｏ      （４）
Ｆｅ２（ＳＯ４）３＋３Ｈ２Ｏ→Ｆｅ２Ｏ３＋３Ｈ２ＳＯ４                    （５）
【００３８】
固液分離部３は、浸出部２で得た浸出スラリーを固液分離し、ニッケル及びコバルトを含む浸出液（粗硫酸ニッケル水溶液）と浸出残渣とを得る固液分離工程を実行する。固液分離工程は、浸出部２で形成される浸出スラリーから、浸出残渣に付着して廃棄されるニッケル等を粗硫酸ニッケル水溶液中に分離回収するため有効である。例えば、固液分離部３は、浸出スラリーを洗浄液と混合した後、後述する凝集剤供給設備１４ａ、１４ｂから供給される凝集剤を用いて、固液分離設備であるシックナーで固液分離を行う。これにより、スラリーが洗浄液により希釈され、浸出残渣がシックナーの沈降物として濃縮されるので、浸出残渣に付着するニッケル分をその希釈の度合に応じて減少させることができる。凝集剤としては、例えばアニオン系の凝集剤が用いられる。
【００３９】
中和部４は、例えば中和槽等の中和設備で構成され、固液分離部３で得られた粗硫酸ニッケル水溶液を中和する中和工程を実行する。具体的に、中和部４では、粗硫酸ニッケル水溶液の酸化を抑制しながら、凝集剤供給設備１４ａ、１４ｂから供給される凝集剤と、後述する中和剤供給設備１２ａ、１２ｂから供給される中和剤とを添加し、３価の鉄を含む中和澱物スラリーと、ニッケル回収用母液とを形成する。これにより、中和部４では、過剰の酸の中和を行うとともに、溶液中に残留する３価の鉄イオンの除去を行うことができる。中和剤としては、例えば、炭酸カルシウムが用いられる。また、中和部４では、中和工程でのｐＨを３．２〜３．８とするのが好ましい。このようなｐＨの範囲にすることにより、ニッケルの水酸化物の発生が多くなるのを防止することができる。中和部４では、中和工程での温度を５０〜８０℃とするのが好ましい。５０℃未満とすると、澱物が微細となり、固液分離工程へ悪影響を及ぼし、８０℃を超えると、装置材料の耐食性の低下や加熱のためのエネルギーコストの増大を招くためである。
【００４０】
脱亜鉛部５は、中和部４で中和した粗硫酸ニッケル水溶液に硫化水素供給設備１０ａ、１０ｂから供給される硫化水素ガスを添加して、亜鉛を硫化亜鉛として沈殿除去し、脱亜鉛溶液を得る脱亜鉛工程を実行する。
【００４１】
硫化部６は、脱亜鉛部５で得られた脱亜鉛溶液に、硫化水素供給設備１０ａ、１０ｂから供給される硫化水素ガスを添加してニッケル・コバルト混合硫化物とニッケル貧液とを得る硫化工程を実行する。このニッケル貧液は、硫化されずに含まれる鉄、マグネシウム、マンガン等の不純物の他に、回収ロスであるニッケル及びコバルトを僅かに含む。
【００４２】
無害化部７は、固液分離部３で発生した浸出残渣と、硫化部６で発生したニッケル貧液とを、中和剤供給設備１２ａ、１２ｂから供給される中和剤により無害化する無害化工程を実行する。以上のような工程処理設備により、湿式精錬プラント２０では、高いニッケル収率を達成することができる。
【００４３】
＜１−２．供給設備＞
湿式精錬プラント２０は、図１、図２に示すように、ユーティリティー供給設備８ａ、８ｂと、硫化水素供給設備１０ａ、１０ｂと、中和剤供給設備１２ａ、１２ｂと、凝集剤供給設備１４ａ、１４ｂとを有する。以下、これらの供給設備は、各系列の処理設備を個別に説明する場合を除いて、ユーティリティー供給設備８、硫化水素供給設備１０、中和剤供給設備１２及び凝集剤供給設備１４という。
【００４４】
ユーティリティー供給設備８は、例えば、ボイラーと、用水設備と、電力設備とからなる。ボイラーは、各工程処理設備の反応温度制御をするための蒸気を得るものである。ボイラーから得られる蒸気は、必要に応じて上述した工程処理設備に供給される。用水設備は、各工程処理設備で用いられる用水を供給するための設備である。用水設備で得られる用水は、必要に応じて上述した工程処理設備に供給される。電力設備は、各工程処理設備で用いられる電力を供給するための設備である。電力設備で得られる電力は、必要に応じて上述した工程処理設備に供給される。
【００４５】
ユーティリティー供給設備８ａと、Ｉ系列の工程処理設備とは、ユーティリティー供給配管９ａによって連結されている。また、ユーティリティー供給設備８ｂと、ＩＩ系列の工程処理設備とは、ユーティリティー供給配管９ｂによって連結されている。さらに、ユーティリティー供給配管９ａと、ユーティリティー供給配管９ｂとは、ユーティリティー連結設備１６によって連結されている。
【００４６】
ユーティリティー連結設備１６は、例えば、ユーティリティー供給配管９ａ、９ｂと同様に構成される。ユーティリティー連結設備１６は、ユーティリティー（蒸気、用水及び電力）の供給の最上流部分でユーティリティー供給配管９ａと、ユーティリティー供給配管９ｂとを連結する。すなわち、ユーティリティー連結設備１６は、例えば、ユーティリティー供給配管９ａと、ユーティリティー供給設備８ａとの接続部付近と、ユーティリティー供給配管９ｂと、ユーティリティー供給設備８ｂとの接続部付近とを連結する。このように、各系列のユーティリティー供給設備をユーティリティー連結設備１６で連結して供給物を互いに共有可能とすることで、例えばユーティリティー供給設備８ａに重大トラブルが発生した場合においても、ユーティリティー供給設備８ｂからのユーティリティーを各系列の工程処理設備に効率的に供給することができる。
【００４７】
硫化水素供給設備１０は、硫化水素ガスを製造し、製造した硫化水素ガスを必要に応じて脱亜鉛部５及び硫化部６に供給する。硫化水素供給設備１０ａと、脱亜鉛部５ａ及び硫化部６ａとは、硫化水素供給配管１１ａによって連結されている。また、硫化水素供給設備１０ｂと、脱亜鉛部５ｂ及び硫化部６ｂとは、硫化水素供給配管１１ｂによって連結されている。さらに、硫化水素供給配管１１ａと、硫化水素供給配管１１ｂとは、硫化水素連結設備１７によって連結されている。
【００４８】
硫化水素連結設備１７は、例えば硫化水素供給配管１１と同様に構成されている。また、硫化水素連結設備１７は、硫化水素の供給の最上流部分で硫化水素供給配管１１ａと、硫化水素供給配管１１ｂとを連結することで、各系列の工程処理設備で硫化水素を互いに共有可能とする。すなわち、硫化水素連結設備１７は、例えば、硫化水素供給設備１０ａと硫化水素供給配管１１ａとの接続部付近と、硫化水素供給設備１０ｂと硫化水素供給配管１１ｂとの接続部付近とを連結する。これにより、例えば、硫化水素供給設備１０ａ（１０ｂ）に重大トラブルが発生した場合においても、硫化水素連結設備１７を介して硫化水素供給設備１０ｂ（１０ａ）から各系列の工程処理設備に硫化水素を効率的に供給することができる。
【００４９】
中和剤供給設備１２は、必要に応じて中和部４及び無害化部に上述した中和剤を供給する。中和剤供給設備１２ａと、中和部４ａ及び無害化部７ａとは、中和剤供給配管１３ａによって連結されている。また、中和剤供給設備１２ｂと、中和部４ｂ及び無害化部７ｂとは、中和剤供給配管１３ｂによって連結されている。さらに、中和剤供給配管１３ａと、中和剤供給配管１３ｂとは、中和剤連結設備１８によって連結されている。
【００５０】
中和剤連結設備１８は、例えば中和剤供給配管１３と同様に構成されている。中和剤連結設備１８は、中和剤の供給の最上流部分でこれら中和剤供給配管１３ａと、中和剤供給配管１３ｂとを連結することで、各系列の工程処理設備で中和剤を互いに共有可能とする。すなわち、中和剤連結設備１８は、例えば、中和剤供給設備１２ａと中和剤供給配管１３ａとの接続部付近と、中和剤供給設備１２ｂと中和剤供給配管１３ｂとの接続部付近とを連結する。これにより、例えば、中和剤供給設備１２ａに重大トラブルが発生した場合においても、中和剤連結設備１８を介して中和剤供給設備１２ｂから各系列の工程処理設備に中和剤を効率的に供給することができる。
【００５１】
凝集剤供給設備１４は、必要に応じて上述した凝集剤を、固液分離部３と、中和部４とに供給する。凝集剤供給設備１４ａと、固液分離部３ａ及び中和部４ａとは、凝集剤供給配管１５ａによって連結されている。また、凝集剤供給設備１４ｂと、固液分離部３ｂ及び中和部４ｂとは、凝集剤供給配管１５ｂによって連結されている。さらに、凝集剤供給配管１５ａと、凝集剤供給配管１５ｂとは、凝集剤連結設備１９によって連結されている。
【００５２】
凝集剤連結設備１９は、例えば凝集剤供給配管１５と同様に構成されている。凝集剤連結設備１９は、凝集剤の供給の最上流部分で凝集剤供給配管１５ａと、凝集剤供給配管１５ｂとを連結することで、各系列の工程処理設備で凝集剤を互いに共有可能とする。すなわち、凝集剤連結設備１９は、例えば、凝集剤供給設備１４ａと凝集剤供給配管１５ａとの接続部付近と、凝集剤供給設備１４ａと凝集剤供給配管１５ａとの接続部付近とを連結する。これにより、例えば、凝集剤供給設備１４ａに重大トラブルが発生した場合においても、凝集剤連結設備１９を介して凝集剤供給設備１４ｂから各系列の工程処理設備に凝集剤を効率的に供給することができる。
【００５３】
また、上述した連結設備は、移動する供給物の量を遮断、調整等するための開閉機構（遮断機構）を有することが好ましい。例えば、ユーティリティー連結設備１６には、蒸気、用水であればコントロールバルブ、電気であれば開閉器を設けることが好ましい。また、硫化水素連結設備１７、中和剤連結設備１８及び凝集剤連結設備１９には、例えば、コントロールバルブを設けることが好ましい。
【００５４】
各連結設備は、必要に応じてこの開閉機構を作動させて、連結を解除することにより、２系列の処理設備を有する湿式精錬プラント２０を独立した１系列の処理設備としても稼動させることができる。
【００５５】
このように、湿式精錬プラント２０は、開閉機構を有する連結設備を備えることにより、組成の異なる原料を処理する必要がある場合や、同じ組成の原料でも処理条件を変更させる必要がある場合に、好ましく対応することが可能となる。また、湿式精錬プラント２０は、開閉機構で移動する供給物の量を調整することにより、重大トラブル発生による処理量の減少を最小限にして操業を継続できるため、重大トラブル解消後の立ち上げも早くすることができる。
【００５６】
また、湿式精錬プラント２０においては、複数系列の一連の処理設備を、ほぼ同じ位置に設置するのが好ましい。これにより、ニッケル酸化鉱（原料）の運搬、ニッケル・コバルト混合硫化物（製品）搬出などを、より効率的に操業することができる。
【００５７】
また、湿式精錬プラント２０では、ニッケル酸化鉱の採掘可能年数、操業に欠かせない水の供給能力、プラント敷地の余裕など考慮すべき事項は多々あるものの、条件が許せば、各系列の処理設備が同程度の処理能力を有することが好ましい。これにより、後に詳述するように湿式精錬プラント２０で重大トラブルが発生した場合に、各系列の供給処理設備や各系列の工程処理設備の制御を容易に行うことができる。また、各個別設備における実操業上の運転・操作マニュアルが、別系列であっても実質的に同じものとすることができるため、作業員の教育コストを低減することができる。さらに、各処理設備が同程度の処理能力を有することにより、別系列の処理設備における処理能力を勘違いするポカミス・ヒューマンエラーを低減することができ、作業員の勤務構成の組み方に余裕をもたせることができる。
【００５８】
以上説明したように、湿式精錬プラント２０では、各供給設備が連結設備により連結されているため、例えば、ある系列の処理設備の少なくとも１つの供給設備に重大トラブルが発生した場合でも、連結設備を介して供給物を他の系列の工程処理設備に供給することで、浸出部２の運転停止を防止することができる。したがって、湿式精錬プラント２０では、各系列の同じ供給設備に同時に重大トラブルが発生しない限り、浸出部２を停止させることなく操業を継続することができるため、浸出工程での処理量の減少を最小限にすることができる。
【００５９】
＜２．重大トラブルが発生した場合の湿式精錬プラントの操業方法＞
次に、重大トラブルが発生した場合の湿式精錬プラント２０の操業方法の一例について説明する。以下の説明では、便宜的に上述した図１及び図２に示す湿式精錬プラント２０を用いた場合を例にして説明する。
【００６０】
例えば、湿式精錬プラント２０のユーティリティー供給設備８ａ、ユーティリティー供給設備８ｂのいずれか一方で、上述した重大トラブル（処理設備の一部を運転停止しなければならないトラブル）が発生して、蒸気の供給設備が停止した場合を想定する。この場合には、湿式精錬プラント２０では、重大トラブルが発生していないユーティリティー供給設備の稼働能力を通常操業時よりも上昇させる。
【００６１】
例えば、湿式精錬プラント２０では、ユーティリティー供給設備８ａに重大トラブルが発生して蒸気の供給設備が停止したため、片肺運転となったユーティリティー供給設備８ｂの稼働能力（操業負荷）を通常操業時以上に上昇させる。湿式精錬プラント２０では、片肺運転となったユーティリティー供給設備８ｂの稼働能力を通常操業時よりも１２０％上昇させることが好ましい。湿式精錬プラント２０では、ユーティリティー供給設備８ｂの稼働能力を通常操業時よりも１２０％上昇させることにより、ユーティリティー供給設備８ｂに負荷をかけすぎずに、必要な量の蒸気を各工程処理設備に安定して供給することができる。
【００６２】
また、湿式精錬プラント２０では、各系列の一連の処理設備の稼働能力の合計を１２０％とし、かつ、少なくとも浸出部２の稼働能力の下限がそれぞれ５０％となるように設定する。これにより、湿式精錬プラント２０では、少なくとも浸出部２の稼働率を通常時の５０％で維持することができる。したがって、湿式精錬プラント２０では、従来であれば停止を余儀なくされていた浸出部２を停止させずに、実操業上の大きな問題の原因である上述した準備時間の発生を防止することができる。
【００６３】
ここで、各系列の処理設備の稼働能力の合計が１２０％とは、各系列の一連の処理設備の通常時の稼働能力をそれぞれ１００％としたときに、これらの稼働能力を合計した値が１２０％であることをいう。例えば、湿式精錬プラント２０において、Ｉ系列の処理設備及びＩＩ系列の処理設備の稼働能力をそれぞれ通常時の６０％とする場合が挙げられる。また、Ｉ系列の処理設備の稼働能力を５０％、かつ、ＩＩ系列の処理設備の稼働能力を７０％としたり、Ｉ系列の処理設備の稼働能力を７０％、かつ、ＩＩ系列の処理設備の稼働能力を５０％としてもよい。
【００６４】
また、湿式精錬プラント２０では、上記した蒸気以外の他の供給物である、用水、電気、硫化水素、凝集剤及び中和剤の場合も、蒸気の場合と同様にして、浸出部２における準備時間の発生を防止することができる。
【００６５】
以上説明したように、本実施の形態に係る湿式精錬プラント２０では、各系列の同じ供給設備に、同時に重大トラブルが発生しない限り、浸出部２の運転停止を防ぐことができるため、浸出部２を停止させることなく操業を継続することができる。したがって、本実施の形態に係る湿式精錬プラント２０では、浸出工程での処理量の減少を最小限にすることができる。なお、湿式精錬プラント２０において、全系列の同じ供給設備に、同時に重大トラブルが発生する可能性は低いと理解されるため、実質的に重大トラブルによる処理設備の停止を防止することができる。
【００６６】
＜３．他の実施の形態＞
上記説明では、一連の処理設備を２系列有する湿式精錬プラント２０を例にして説明したが、一連の処理設備を３系列以上有する湿式精錬プラントを本発明に適用してもよい。例えば、一連の処理設備を３系列有する湿式精錬プラントの場合には、各供給物の供給設備のうち、１系列しか稼動していなくても、稼働率を３３％とすることで、約１／３の稼動を継続することが可能であり、２系列が稼動している場合は、稼働率を６６％にすればよいことになる。このように、系列数を多くすることにより、増産しなければならない工程領域の設備にかかる１設備あたりの過剰負荷分を小さくすることができる。
【００６７】
また、上述したニッケル酸化鉱石の湿式精錬プラントは、緊急用貯槽（例えば、８時間分は貯留できるタンク）を併用するようにしてもよい。これにより、より複雑な調整が可能となる。例えば、上述した湿式精錬プラント２０において、ユーティリティー供給設備８ａに重大トラブルが発生し、ユーティリティー供給設備８ｂの稼働能力を１４０％に上昇させた場合には、ユーティリティー供給設備８ｂの稼働能力を通常時のまま（１００％）とし、緊急用貯槽に貯留されているユーティリティーを併用するようにしてもよい。
【００６８】
また、湿式精錬プラント２０では、上述した片肺運転となったユーティリティー供給設備８ｂの稼働能力を通常操業時のまま（１００％）とし、各系列の一連の処理設備の稼働能力の合計を１００％とし、かつ、少なくとも浸出部２の稼働能力の下限がそれぞれ５０％となるように設定してもよい。例えば、各系列の一連の処理設備の稼働能力をそれぞれ５０％の合計を１００％とし、上述した緊急用貯槽に貯留されているユーティリティーを併用するようにしてもよい。
【００６９】
さらに、上述した湿式精錬プラント２０における各供給設備の稼働能力の上限は、可能であれば１２０％よりも大きい値、例えば１４０％としてもよい。例えば、ユーティリティー供給設備８ａに重大トラブルが発生し、ユーティリティー供給設備８ｂの稼働能力を１４０％に上昇させた場合には、各系列の処理設備の稼働能力の合計を１４０％とし、かつ、浸出部２の稼働能力の下限が５０％となるように設定すればよい。
【００７０】
また、本発明に係る湿式精錬プラント２０は、上述した各供給設備における重大トラブルを検出する検出部と、この検出部で重大トラブルを検出した場合に各供給設備の稼働能力や連結設備の開閉機構を制御する制御部とを備えてもよい。すなわち、湿式精錬プラントにおいて、検出部は、上述した各供給設備にそれぞれ接続されている。また、制御部は、上述した各検出部、各供給設備及び各連結設備の開閉機構にそれぞれ接続されている。
【００７１】
このような湿式精錬プラントにおいて、検出部は、例えば、ユーティリティー供給設備８ａに重大トラブルが発生して蒸気の供給設備が停止したかどうかを検出する。検出部は、蒸気の供給設備が停止したことを検出した場合には、その旨の検出信号を制御部に供給する。制御部は、検出部から供給された検出信号に応じて、片肺運転となったユーティリティー供給設備８ｂの稼働能力が、通常操業時よりも１２０％上昇するように制御する。また、制御部は、上述したＩ系列の処理設備及びＩＩ系列の処理設備の稼働能力が、それぞれ通常時の６０％となるように、工程処理設備の稼働能力を制御するとともに、各連結設備の開閉機構の作動を制御する。これにより、ある系列の処理設備の少なくとも１つの供給設備に重大トラブルが発生した場合にも、処理設備の停止を最小限にして、処理量の減少を最小限にすることができる。
＜４．実施例＞
【実施例】
【００７２】
以下、本発明の具体的な実施例について説明する。なお、下記のいずれかの実施例に本発明の範囲が限定されるものではない。
【００７３】
（実施例１）
＜操業条件＞
実施例１では、図１、２に示す本発明の湿式精錬プラント２０を使用し、７ヶ月間の操業を実施した。
【００７４】
実施例１で用いた湿式精錬プラント２０は、前処理部１と、浸出部２と、固液分離部３と、中和部４と、脱亜鉛部５と、硫化部６と、無害化部７とを含む２系列の工程処理設備を備える。また、本発明の湿式精錬プラント２０は、ユーティリティー供給設備８と、硫化水素供給設備１０と、中和剤供給設備１２と、凝集剤供給設備１４とを有する。また、湿式精錬プラント２０は、各供給手段の供給の最上流部分にユーティリティー連結設備１６、硫化水素連結設備１７、中和剤連結設備１８及び凝集剤連結設備１９を設けて、各系列の供給設備を連結して操業を実施した。
【００７５】
実施例１では、湿式精錬プラント２０の供給設備において、上述した重大トラブルが発生した場合には、重大トラブルが発生していない供給設備の稼働能力を１２０％に上昇させ、各系列の一連の処理設備の稼働能力の合計を１２０％とし、かつ、下限がそれぞれ５０％以上となるように設定した。
【００７６】
＜操業結果＞
ユーティリティーについては、ユーティリティー供給設備８に合計４回のトラブルが発生した。その結果、浸出部２の停止時間は、ゼロであった。硫化水素については、硫化水素供給設備１０に３４回のトラブルが発生した。その結果、浸出部２の停止時間はゼロであった。中和剤については、中和剤供給設備１２に１回のトラブルが発生した。その結果、浸出部２の停止時間は、ゼロであった。凝集剤については、凝集剤供給設備１４にトラブルは発生しなかった。なお、いずれのトラブルでも、Ｉ系列の処理設備と、ＩＩ系列の処理設備との双方に同時に重大トラブルが発生することはなかった。
【００７７】
（比較例１）
＜操業条件＞
比較例１では、本発明を適用しない湿式精錬プラント、すなわち、図４、図５に示す湿式精錬プラントを使用し、７ヶ月間の操業を実施した。すなわち、比較例１では、ユーティリティー供給設備８と、硫化水素供給設備１０と、中和剤供給設備１２と、凝集剤供給設備１４とについては、実施例１のように供給の最上流部分で供給物を互いに共有可能に連結する連結設備を設けず、各系列の供給設備を連結することなく操業を実施した。
【００７８】
＜操業結果＞
ユーティリティー（蒸気、用水、電気）については、ユーティリティー供給設備８に合計３回のトラブルが発生した。その結果、浸出部２の停止時間は、２３５時間であった。硫化水素については、硫化水素供給設備１０に３０回のトラブルが発生した。その結果、浸出部２の停止時間は、９８時間であった。中和剤については、中和剤供給設備１２に１回のトラブルが発生した。その結果、浸出部２の停止時間は、４時間であった。凝集剤については、凝集剤供給設備１４にトラブルは発生しなかった。なお、いずれのトラブルでも、Ｉ系列、ＩＩ系列の双方に同時にトラブルが発生することはなかった。
【００７９】
以上の結果から、実施例１では、湿式精錬プラント２０の各系列における全ての供給設備が、上述した連結設備を有するため、供給設備に重大トラブルが発生した場合においても、他の系列の同じ供給設備を操業することができた。これにより、浸出部２を停止させることなく操業を継続できるため、浸出工程での処理量の減少を最小限にできることが確認できた。
【００８０】
一方、比較例１では、湿式精錬プラントの各系列における全ての供給設備が、実施例１のように連結設備を有しないため、供給設備に重大トラブルが発生した場合において、浸出部２を停止させずに操業を継続することができなかった。また、浸出部２の停止時間の合計は、２３７時間であった。
【産業上の利用可能性】
【００８１】
本発明は、ニッケル酸化鉱石の湿式精錬プラントに限定されず、硬い粒子を含むスラリーや装置表面に付着しやすい沈殿の生成を伴うプラントに対して適用可能であり、その工業的価値は高い。
【符号の説明】
【００８２】
１ａ  Ｉ系列の前処理部、１ｂ  ＩＩ系列の前処理部、２ａ  Ｉ系列の浸出部、２ｂ  ＩＩ系列の浸出部、３ａ  Ｉ系列の固液分離部、３ｂ  ＩＩ系列の固液分離部、４ａ  Ｉ系列の中和部、４ｂ  ＩＩ系列の中和部、５ａ  Ｉ系列の脱亜鉛部、５ｂ  ＩＩ系列の脱亜鉛部、６ａ  Ｉ系列の硫化部、６ｂ  ＩＩ系列の硫化部、７ａ  Ｉ系列の無害化部、７ｂ  ＩＩ系列の無害化部、８ａ  Ｉ系列のユーティリティー供給設備、８ｂ  ＩＩ系列のユーティリティー供給設備、９ａ  Ｉ系列のユーティリティー供給配管、９ｂ  ＩＩ系列のユーティリティー供給配管、１０ａ  Ｉ系列の硫化水素供給設備、１０ｂ  ＩＩ系列の硫化水素供給設備、１１ａ  Ｉ系列の硫化水素供給配管、１１ｂ  ＩＩ系列の硫化水素供給配管、１２ａ  Ｉ系列の中和剤供給設備、１２ｂ  ＩＩ系列の中和剤供給設備、１３ａ  Ｉ系列の中和剤供給配管、１３ｂ  ＩＩ系列の中和剤供給配管、１４ａ  Ｉ系列の凝集剤供給設備、１４ｂ  ＩＩ系列の凝集剤供給設備、１５ａ  Ｉ系列の凝集剤供給配管、１５ｂ  ＩＩ系列の凝集剤供給配管、１６  ユーティリティー連結設備、１７  硫化水素連結設備、１８  中和剤連結設備、１９  凝集剤連結設備  ２０  湿式精錬プラント
【図１】
2011225908.tif 000003
【図２】
2011225908.tif 000004
【図３】
2011225908.tif 000005
【図４】
2011225908.tif 000006
【図５】
2011225908.tif 000007